(57)【要約】  無線通信システム（１）は、ＳｅＧＷ（５０）と、フェムト基地局（１０）と、マクロ基地局（４０）とを有する。ＳｅＧＷ（５０）は、上位局と接続する。フェムト基地局（１０）は、有線ブロードバンド回線（Ｎ１）を介してＳｅＧＷ（５０）と接続する。マクロ基地局（４０）は、専用回線（Ｎ３）を介してＳｅＧＷ（５０）と接続する。フェムト基地局（１０）は、移動局がマクロ基地局（４０）からフェムト基地局（１０）へハンドオーバする際、第１の時刻情報と第２の時刻情報とを用いて、有線ブロードバンド回線（Ｎ１）の品質を測定する。第１の時刻情報は、マクロ基地局（４０）からフェムト基地局（１０）へ転送されるデータが送信される時刻を示す。また、第２の時刻情報は、当該データが受信される時刻を示す。
2012164675.tif 000002
【特許請求の範囲】
【請求項１】
上位局と接続するゲートウェイと、
第１の回線を介して前記ゲートウェイと接続する第１の基地局と、
第２の回線を介して前記ゲートウェイと接続する第２の基地局と
を有する無線通信システムであって、
前記ゲートウェイまたは前記第２の基地局は、
移動局が前記第１の基地局から前記第２の基地局へハンドオーバする際、前記第１の基地局から前記第２の基地局へ転送されるデータが送信される時刻を示す第１の時刻情報と、前記データが受信される時刻を示す第２の時刻情報とを用いて、回線の品質を測定する
ことを特徴とする無線通信システム。
【請求項２】
前記第２の基地局は、
移動局が前記第１の基地局から前記第２の基地局へハンドオーバする際、前記第１の基地局から前記第２の基地局へ転送されるデータを前記ゲートウェイが送信する時刻を示す第１の時刻情報と、前記第２の基地局が前記データを受信する時刻を示す第２の時刻情報とを用いて、前記第２の回線の品質を測定することを特徴とする請求項１に記載の無線通信システム。
【請求項３】
前記ゲートウェイは、
移動局が前記第１の基地局から前記第２の基地局へハンドオーバする際、前記第１の基地局から前記第２の基地局へ転送されるデータを前記第１の基地局が送信する時刻を示す第１の時刻情報と、前記ゲートウェイが前記データを受信する時刻を示す第２の時刻情報とを用いて、前記第１の回線の品質を測定することを特徴とする請求項１に記載の無線通信システム。
【請求項４】
第１の回線を介してゲートウェイと接続する第１の基地局と、上位局と接続するゲートウェイを介して、接続すると共に、
第２の回線を介して前記ゲートウェイと接続する第２の基地局であって、
移動局が前記第１の基地局から前記第２の基地局へハンドオーバする際、前記第１の基地局から前記第２の基地局へ転送されるデータが送信される時刻を示す第１の時刻情報と、前記データが受信される時刻を示す第２の時刻情報とを用いて、回線の品質を測定する
ことを特徴とする基地局。
【請求項５】
上位局と接続すると共に、
第１の回線を介してゲートウェイと接続する第１の基地局と、第２の回線を介して前記ゲートウェイと接続する第２の基地局とを中継するゲートウェイであって、
移動局が前記第１の基地局から前記第２の基地局へハンドオーバする際、前記第１の基地局から前記第２の基地局へ転送されるデータが送信される時刻を示す第１の時刻情報と、前記データが受信される時刻を示す第２の時刻情報とを用いて、回線の品質を測定する
ことを特徴とするゲートウェイ。
【請求項６】
上位局と接続するゲートウェイと、
第１の回線を介して前記ゲートウェイと接続する第１の基地局と、
第２の回線を介して前記ゲートウェイと接続する第２の基地局と
を有する無線通信システムにおける無線通信方法であって、
前記ゲートウェイまたは前記第２の基地局は、
移動局が前記第１の基地局から前記第２の基地局へハンドオーバする際、前記第１の基地局から前記第２の基地局へ転送されるデータが送信される時刻を示す第１の時刻情報と、前記データが受信される時刻を示す第２の時刻情報とを用いて、回線の品質を測定する
ことを特徴とする無線通信方法。
【発明の詳細な説明】
【技術分野】
【０００１】
本発明は、無線通信システム、基地局、ゲートウェイ、及び無線通信方法に関する。
【背景技術】
【０００２】
近年、無線通信技術の発達に伴い、一般の携帯電話の基地局（マクロ基地局）とは別に、特定の通信エリア内での使用を想定した超小型基地局装置であるフェムト基地局が開発されている。フェムト基地局は、マクロ基地局と比較して、セル半径は小さいが、主に一般家庭や小規模オフィス、飲食店等の屋内施設での設置を想定していることから、フェムト基地局との通信を許可された複数の移動局が、同時にアクセス可能である。フェムト基地局は、既存のマクロ基地局ではカバーしきれない住宅街や高層ビルに設置することで、運用コストを抑えつつ屋内のエリアカバー率を向上することができる。したがって、フェムト基地局は、Ｗ−ＣＤＭＡ（Wideband−Code  Division  Multiple  Access）方式といった従来の３Ｇ（Generation）方式のみならず、サービスの開始当初であることからエリアカバー率が十分でないＬＴＥ（Long  Term  Evolution）方式においても、高い需要が予測される。
【先行技術文献】
【特許文献】
【０００３】
【特許文献１】特開２００９−２６０８９５号公報
【特許文献２】特開２００６−３０４２８８号公報
【特許文献３】特表２０１０−５２２５１６号公報
【発明の概要】
【発明が解決しようとする課題】
【０００４】
しかしながら、上述した技術では、以下に説明するような問題点があった。すなわち、ＬＴＥ方式の無線通信では、マクロ基地局によるエリアカバー率が未だ十分とはいえず、エリアカバー率が向上する迄の間、ＬＴＥ方式のフェムト基地局により、エリアカバーを補完することが重要である。また、ＬＴＥ方式のマクロ基地局のエリアカバー率が十分に向上したとしても、特に、一般家庭や小規模オフィス、飲食店等の屋内施設では、高品質な通信を維持する観点から、マクロ基地局よりも遮蔽物の少ないフェムト基地局による通信が好ましい場合も想定される。【０００５】
上述の環境では、移動局は、マクロ基地局、フェムト基地局の何れの基地局との間でも無線通信が可能であるが、マクロ基地局との通信では、帯域保障されている回線を用いるため、一定の通信品質を確保することができる。これに対して、フェムト基地局との通信では、光ファイバやＡＤＳＬ（Asymmetric  Digital  Subscriber  Line）回線を始めとする有線ブロードバンド回線が用いられる。このような回線は、帯域保障が為されておらず、多数の加入者が、同時に共用する構成のため、トラヒックの輻輳時等には、回線品質にばらつきが生じ、移動局によっては、通信品質が低下することがある。【０００６】
開示の技術は、上記に鑑みてなされたものであって、回線の輻輳による通信品質の低下を抑制することができる無線通信システム、基地局、ゲートウェイ、及び無線通信方法を提供することを目的とする。
【課題を解決するための手段】
【０００７】
上述した課題を解決し、目的を達成するために、本願の開示する無線通信システムは、一つの態様において、ゲートウェイと、第１の基地局と、第２の基地局とを有する。ゲートウェイは、上位局と接続する。第１の基地局は、第１の回線を介して前記ゲートウェイと接続する。第２の基地局は、第２の回線を介して前記ゲートウェイと接続する。前記ゲートウェイまたは前記第２の基地局は、移動局が前記第１の基地局から前記第２の基地局へハンドオーバする際、前記第１の基地局から前記第２の基地局へ転送されるデータが送信される時刻を示す第１の時刻情報と、前記データが受信される時刻を示す第２の時刻情報とを用いて、回線の品質を測定する。
【発明の効果】
【０００８】
本願の開示する無線通信システムの一つの態様によれば、回線の輻輳による通信品質の低下を抑制することができるという効果を奏する。
【図面の簡単な説明】
【０００９】
【図１】図１は、無線通信システムの概略構成を示す図である。
【図２】図２は、フェムト基地局とマクロ基地局とＳｅＧＷとの構成を示す図である。
【図３】図３は、フェムト基地局のハードウェア構成を示す図である。
【図４】図４は、ＳｅＧＷのハードウェア構成を示す図である。
【図５】図５は、転送パケットのＩＰヘッダの構成例を示す図である。
【図６】図６は、下り方向の通信品質を測定する際のユーザデータプロトコルスタックの一例を示す図である。
【図７】図７は、上り方向の通信品質を測定する際のユーザデータプロトコルスタックの一例を示す図である。
【図８】図８は、有線ブロードバンド回線の通信品質測定テーブルの一例を示す図である。
【図９】図９は、有線ブロードバンド回線の回線品質情報の一例を示す図である。
【図１０】図１０は、回線品質情報が移動局に通知、及びフェムト基地局間で共有される様子を示す図である。
【図１１】図１１は、ＳｅＧＷからフェムト基地局に回線品質情報が送信される際に使用されるプロトコルの一例を示す図である。
【図１２】図１２は、移動局が、フェムト基地局から他のフェムト基地局にＸ２ハンドオーバを行った場合に転送されるパケットの転送経路を示す図である。
【図１３】図１３は、下り方向の通信品質測定処理を説明するための図である。
【図１４】図１４は、上り方向の通信品質測定処理を説明するための図である。
【図１５】図１５は、Ｘ２ハンドオーバ発生時における下り回線品質測定処理を説明するための図である。
【図１６】図１６は、Ｘ２ハンドオーバ発生時における上り回線品質測定処理を説明するための図である。
【図１７】図１７は、回線品質の測定結果に基づき、移動局が、フェムト基地局１０からフェムト基地局２０へＸ２ハンドオーバを実行する処理を説明するための図である。
【図１８】図１８は、回線品質の測定結果に基づき、移動局が、フェムト基地局１０からフェムト基地局３０へＸ２ハンドオーバを実行する処理を説明するための図である。
【図１９】図１９は、回線品質の測定結果に基づき、移動局が、フェムト基地局１０からマクロ基地局４０へＸ２ハンドオーバを実行する処理を説明するための図である。
【発明を実施するための形態】
【００１０】
以下、本願の開示する無線通信システム、基地局、ゲートウェイ、及び無線通信方法の実施例について、図面を参照しながら詳細に説明する。なお、この実施例により、本願の開示する無線通信システム、基地局、ゲートウェイ、及び無線通信方法が限定されるものではない。
【００１１】
まず、本願の開示する一実施例に係る無線通信システムの構成を説明する。図１は、無線通信システムの概略構成を示す図である。図１に示すように、無線通信システム１は、フェムト基地局１０、２０、３０と、マクロ基地局４０と、ＳｅＧＷ（Security  GateWay）５０とを少なくとも有する。フェムト基地局１０、２０、３０は、ＬＴＥサービスを提供する基地局装置であり、同じくＬＴＥサービスを提供するマクロ基地局４０よりも通信エリアの狭い超小型基地局装置である。マクロ基地局４０は、収容可能な移動局数が多く、専用回線Ｎ３に接続することで、自局に無線接続する移動局（例えば、移動局Ｕ４）に対して、通信帯域の保証を行っている。これに対して、フェムト基地局１０、２０、３０に接続する移動局（例えば、移動局Ｕ１〜Ｕ３）の通信帯域は、有線ブロードバンド回線Ｎ１、Ｎ２のトラヒック状況に左右される。
【００１２】
フェムト基地局１０、２０、３０には、移動局Ｕ１、Ｕ２、Ｕ３がそれぞれ無線接続されている。また、マクロ基地局４０には、移動局Ｕ４が無線接続されている。更に、フェムト基地局１０、２０は、一般的な有線ブロードバンド回線Ｎ１を介して、フェムト基地局３０は、有線ブロードバンド回線Ｎ２を介して、それぞれＳｅＧＷ５０に接続されている。マクロ基地局４０は、移動体通信事業者（キャリア）の提供する専用回線Ｎ３を介して、ＳｅＧＷ５０に接続されている。ＳｅＧＷ５０は、ＭＭＥ（Mobility  Management  Entity）６１とＳ／ＰＧＷ（Serving/Packet  data  network  GateWay）６２とを有するＥＰＣ（Evolved  Packet  Core）６０を経由して、インターネット網Ｎ４に接続する。これにより、ＳｅＧＷ５０は、ＥＰＣ６０と共に、コアネットワークを形成する。インターネット網Ｎ４には、例えば、移動局Ｕ１〜Ｕ４との間でパケット通信を行うＷｅｂサーバ７０が接続されている。
【００１３】
図２は、フェムト基地局１０とマクロ基地局４０とＳｅＧＷ５０との構成を示す図である。図２に示すように、フェムト基地局１０は、無線ＩＦ（Inter  Face）部１１と、制御信号処理部１２と、ユーザデータ処理部１３と、制御部１４と、品質測定情報処理部１５と、時刻同期処理部１６と、Ｘ２ＩＦ部１７と、Ｓ１ＩＦ部１８とを有する。これら各構成部分は、一方向又は双方向に、信号やデータの入出力が可能なように接続されている。
【００１４】
無線ＩＦ部１１は、移動局Ｕ１を含む、フェムト基地局１０配下の移動局との間で、転送パケットを含むメッセージの送受信を行う。制御信号処理部１２は、フェムト基地局１０内部の制御信号、及び、移動局や上位ネットワークからの制御信号を処理する。ユーザデータ処理部１３は、無線ＩＦ部１１により受信されたパケットのＩＰ（Internet  Protocol）ヘッダに格納されているユーザデータ（後述の図５参照）を処理する。制御部１４は、フェムト基地局１０の各構成部分を統括的に制御する。
【００１５】
品質測定情報処理部１５は、品質測定情報から、フェムト基地局１０の接続する有線ブロードバンド回線Ｎ１の通信品質を測定する。例えば、品質測定情報処理部１５は、ＳｅＧＷ５０から送信される転送パケットのＩＰヘッダから、品質測定情報としてのタイムスタンプを読み取り、このタイムスタンプを基に、パケット送信の遅延時間、スループット等の下り回線品質を測定する。また、品質測定情報処理部１５は、フェムト基地局１０の接続する有線ブロードバンド回線Ｎ１と同一の回線に接続する他のフェムト基地局２０との間で、有線ブロードバンド回線Ｎ１の通信品質情報の交換を行う。
【００１６】
時刻同期処理部１６は、フェムト基地局１０の有する時刻情報と、ＳｅＧＷ５０の有する時刻情報と、の同期を取る。Ｘ２ＩＦ部１７は、フェムト基地局１０とＳｅＧＷ５０とを接続する有線インタフェースであり、ＳｅＧＷ５０との間で、転送パケットを含むメッセージの送受信を行う。フェムト基地局１０は、Ｘ２ハンドオーバの実行時に、Ｘ２ＩＦ部１７により、制御信号及びユーザデータの送受信を行う。同様に、Ｓ１ＩＦ部１８は、フェムト基地局１０とＳｅＧＷ５０とを接続する有線インタフェースであり、ＳｅＧＷ５０との間で、転送パケットを含むメッセージの送受信を行う。フェムト基地局１０は、Ｓ１ハンドオーバの実行時には、Ｓ１ＩＦ部１８により、制御信号及びユーザデータの送受信を行う。
【００１７】
以上、フェムト基地局１０の構成について代表的に説明したが、フェムト基地局２０、３０についても、フェムト基地局１０と同様の構成を有する。したがって、その構成の図示及び詳細な説明は省略する。
【００１８】
図２に示すように、マクロ基地局４０は、無線ＩＦ部４１と、制御部４２と、Ｘ２ＩＦ部４３と、Ｓ１ＩＦ部４４とを有する。これら各構成部分は、一方向又は双方向に、信号やデータの入出力が可能なように接続されている。無線ＩＦ部４１は、移動局Ｕ４を含む、マクロ基地局４０配下の移動局との間で、転送パケットを含むメッセージの送受信を行う。制御部４２は、マクロ基地局４０内部の制御信号、及び、移動局や上位ネットワークからの制御信号やユーザデータを処理する。Ｘ２ＩＦ部４３、Ｓ１ＩＦ部４４は、マクロ基地局４０とＳｅＧＷ５０とを接続する有線インタフェースである。Ｘ２ＩＦ部４３は、Ｘ２ハンドオーバ時に、ＳｅＧＷ５０との間で、転送パケットを含むメッセージの送受信を行う。Ｓ１ＩＦ部４４は、Ｓ１ハンドオーバ時に、ＳｅＧＷ５０との間で、転送パケットを含むメッセージの送受信を行う。
【００１９】
図２に示すように、ＳｅＧＷ５０は、品質測定情報処理部５１と、時刻同期処理部５２と、ＧＷ機能部５３とを有する。これら各構成部分は、一方向又は双方向に、信号やデータの入出力が可能なように接続されている。品質測定情報処理部５１は、有線ブロードバンド回線Ｎ１の通信品質を測定する。品質測定情報処理部５１は、ＳｅＧＷ５０の受信した転送パケットのＩＰヘッダに、品質測定情報（タイムスタンプ）を付与する。また、品質測定情報処理部５１は、フェムト基地局１０にて付与されたタイムスタンプを基に、パケット送信の遅延時間、スループット等の上り回線品質を測定する。時刻同期処理部５２は、ＳｅＧＷ５０の有する時刻情報と、フェムト基地局１０の有する時刻情報と、の同期を取る。ＧＷ機能部５３は、フェムト基地局１０、２０、３０と、マクロ基地局４０と、ＭＭＥ６１と、Ｓ／ＰＧＷ６２とを接続するＩＰ回線の秘匿処理を実行する。また、ＧＷ機能部５３は、フェムト基地局１０とマクロ基地局４０との間で、Ｘ２信号の中継処理を実行する。
【００２０】
続いて、フェムト基地局１０、２０、３０、マクロ基地局４０、及び、ＳｅＧＷ５０のハードウェア構成を説明する。図３は、フェムト基地局１０のハードウェア構成を示す図である。図３に示すように、フェムト基地局１０においては、物理的には、ＣＰＵ１０ｂと、ＳＤＲＡＭ（Synchronous  Dynamic  Random  Access  Memory）１０ｃと、ＦＰＧＡ（Field  Programmable  Gate  Array）１０ｄと、ＤＳＰ（Digital  Signal  Processor）１０ｅとが、スイッチ等のインタフェース１０ａを介して各種信号やデータの入出力が可能なように接続されている。更に、フェムト基地局１０は、物理的には、ＤＡＣ（Digital-to-Analog  Converter）／ＡＤＣ（Analog-to-Digital  Converter）１０ｆと、周波数変換器１０ｇと、ＲＦ（Radio  Frequency）回路１０ｈとを有する。ＲＦ回路１０ｈは、アンテナ１０ｉを有する。以上、フェムト基地局１０のハードウェア構成について代表的に説明したが、フェムト基地局２０、３０とマクロ基地局４０についても、フェムト基地局１０と略同様のハードウェア構成を有する。したがって、共通する構成部分には同一の参照符号を用いると共に、その構成の図示、及び詳細な説明は省略する。
【００２１】
上述したフェムト基地局１０の各機能的構成部分（図２参照）は、以下に記載するハードウェア（図３参照）によって実現される。すなわち、無線ＩＦ部１１と、Ｘ２ＩＦ部１７と、Ｓ１ＩＦ部１８とは、ハードウェアとしてのインタフェース１０ａと、ＤＡＣ／ＡＤＣ１０ｆと、周波数変換器１０ｇと、ＲＦ回路１０ｈと、アンテナ１０ｉとにより実現される。また、制御信号処理部１２と、ユーザデータ処理部１３と、制御部１４と、品質測定情報処理部１５と、時刻同期処理部１６とは、ＣＰＵ１０ｂまたはＤＳＰ１０ｅにより実現される。
【００２２】
上述したマクロ基地局４０の各機能的構成部分（図２参照）は、以下に記載するハードウェア（図３参照）によって実現される。すなわち、無線ＩＦ部４１と、Ｘ２ＩＦ部４３と、Ｓ１ＩＦ部４４とは、ハードウェアとしてのインタフェース１０ａと、ＤＡＣ／ＡＤＣ１０ｆと、周波数変換器１０ｇと、ＲＦ回路１０ｈと、アンテナ１０ｉとにより実現される。また、制御部４２は、ＣＰＵ１０ｂまたはＤＳＰ１０ｅにより実現される。
【００２３】
図４は、ＳｅＧＷ５０のハードウェア構成を示す図である。図４に示すように、ＳｅＧＷ５０においては、物理的には、ＣＰＵ（Central  Processing  Unit）５０ｂと、ＳＤＲＡＭ（Synchronous  Dynamic  Random  Access  Memory）５０ｃと、ＨＤＤ（Hard  Disk  Drive）５０ｄと、ＮＷ（NetWork）ボード５０ｅとが、スイッチ５０ａを介して各種信号やデータの入出力が可能なように接続されている。
【００２４】
上述したＳｅＧＷ５０の各機能的構成部分（図２参照）は、以下に記載するハードウェア（図４参照）によって実現される。すなわち、ＧＷ機能部５３は、ハードウェアとしてのＮＷボード５０ｅにより実現される。また、品質測定情報処理部５１と時刻同期処理部５２とは、ＣＰＵ５０ｂにより実現される。
【００２５】
次に、本実施例に係る無線通信システム１の動作を説明する。以下の説明では、まず、無線通信システム１が、有線ブロードバンド回線Ｎ１の通信品質を測定する動作（以下、「第１の動作」と記す。）を説明する。続いて、無線通信システム１が、回線品質情報を、移動局Ｕ１〜Ｕ４に通知すると共に、フェムト基地局１０、２０、３０間で共有する動作（以下、「第２の動作」と記す。）を説明する。そして、無線通信システム１が、回線品質情報に基づき、ハンドオーバの要否を判定することで、通信品質の低下を回避する動作（以下、「第３の動作」と記す。）を説明する。
【００２６】
（第１の動作について）
最初に、第１の動作を説明する。第１の動作は、更に、下り方向（ＳｅＧＷ５０からフェムト基地局１０に向かう方向）の通信品質の測定処理と、上り方向（フェムト基地局１０からＳｅＧＷ５０に向かう方向）の通信品質の測定処理とに分けられる。
【００２７】
まず、マクロ基地局４０配下の移動局Ｕ４が、フェムト基地局１０にハンドオーバする場合を想定し、下り方向の通信品質の測定処理について説明する。移動局Ｕ４が、フェムト基地局１０にＸ２ハンドオーバする際、マクロ基地局４０は、フェムト基地局１０に向けて、転送パケット（Forwarding  Dataパケット）を送信する。この転送パケットがＳｅＧＷ５０に到達すると、ＳｅＧＷ５０は、通信品質測定用のデータとして、タイムスタンプを上記転送パケットのＩＰヘッダに付与し、ハンドオーバ先のフェムト基地局１０に、当該転送パケットを転送する。すなわち、転送パケットは、マクロ基地局４０からＳｅＧＷ５０を中継し、フェムト基地局１０に送信される。フェムト基地局１０は、転送パケットを受信すると、当該パケットのＩＰヘッダから上記タイムスタンプを取得し、この情報を基に、有線ブロードバンド回線Ｎ１の通信品質を測定する。通信品質の具体的な測定方法については後述するが、通信品質としては、例えば、パケット送信の遅延時間、スループット、揺らぎが測定される。フェムト基地局１０は、測定終了後、上記転送パケットに付与されたタイムスタンプを消去する。
【００２８】
次に、フェムト基地局１０配下の移動局Ｕ１が、マクロ基地局４０にハンドオーバする場合を想定し、上り方向の通信品質の測定処理について説明する。移動局Ｕ１が、マクロ基地局４０にＸ２ハンドオーバする際、フェムト基地局１０は、マクロ基地局４０に向けて、転送パケットを送信する。フェムト基地局１０は、転送パケットをＳｅＧＷ５０に送信する際、通信品質測定用のデータとして、タイムスタンプを上記転送パケットのＩＰヘッダに付与する。すなわち、転送パケットは、フェムト基地局１０からＳｅＧＷ５０を中継し、マクロ基地局４０に転送される。ＳｅＧＷ５０は、転送パケットを受信すると、当該パケットのＩＰヘッダから上記タイムスタンプを取得し、この情報を基に、有線ブロードバンド回線Ｎ１の通信品質を測定する。通信品質の具体的な測定方法については後述するが、通信品質としては、例えば、パケット送信の遅延時間、スループット、揺らぎが測定される。ＳｅＧＷ５０は、測定終了後、上記転送パケットに付与されたタイムスタンプを消去する。ＳｅＧＷ５０は、タイムスタンプの消去された転送パケットを、移動局のハンドオーバ先のマクロ基地局４０に転送する。また、ＳｅＧＷ５０は、有線ブロードバンド回線Ｎ１の通信品質の測定結果を、フェムト基地局１０及びマクロ基地局４０に通知する。
【００２９】
図５は、転送パケットのＩＰヘッダＰ１の構成例を示す図である。図５に示すように、転送パケットのＩＰヘッダＰ１は、オプション部Ｐ１ａ（網掛け部分）を有する。通信品質測定用情報としてのタイムスタンプは、ＳｅＧＷ５０（下り方向の場合）またはフェムト基地局１０（上り方向の場合）により、オプション部Ｐ１ａに付与される。タイムスタンプは、ＳｅＧＷ５０とフェムト基地局１０とにおいて常に同期の取られた時刻情報であることから、フェムト基地局１０及びＳｅＧＷ５０は、タイムスタンプを参照することで、正確な通信品質の測定が可能となる。
【００３０】
図６は、下り方向の通信品質を測定する際のユーザデータプロトコルスタックの一例を示す図である。図６に示すように、転送パケットＦ１は、タイムスタンプを付与されない状態で、ハンドオーバ元のマクロ基地局４０から送信される。ＳｅＧＷ５０は、転送パケットＦ１を受信すると、ＩＰ、ＩＰｓｅｃ（Internet  Protocol  Security）を終端すると共に、ＩＰヘッダＰ１のオプション部Ｐ１ａ（図５参照）に相当するＩＰ領域Ｆ２ａ（図６の網掛け部分）にタイムスタンプを付与する。その結果、転送パケットＦ１は、ＳｅＧＷ５０において、転送パケットＦ２に示す状態となる。転送パケットＦ２は、ＳｅＧＷ５０から、ハンドオーバ先のフェムト基地局１０に転送される。フェムト基地局１０は、転送パケットＦ２を受信すると、ＩＰ領域Ｆ２ａに記録されているタイムスタンプを解読し、その時刻と、自局が転送パケットＦ２を受信した時刻とを比較することで、有線ブロードバンド回線Ｎ１の通信品質を測定する。フェムト基地局１０は、通信品質の測定を終えると、転送パケットＦ２のＩＰ領域Ｆ２ａから、タイムスタンプを消去する。その結果、転送パケットＦ２は、フェムト基地局１０において、転送パケットＦ３に示す状態となる。すなわち、転送パケットのＩＰ領域は、転送パケットＦ３のＩＰ領域Ｆ３ａに示すように、再び、転送パケットＦ１のＩＰ領域と同じ状態となる。これにより、ハンドオーバ後の移動局Ｕ１は、ハンドオーバ元のマクロ基地局４０が送信した転送パケットと同一のパケットを受信することができる。
【００３１】
図７は、上り方向の通信品質を測定する際のユーザデータプロトコルスタックの一例を示す図である。ハンドオーバ元のフェムト基地局１０にて、転送パケットのＩＰヘッダＰ１のオプション部Ｐ１ａにタイムスタンプが付与される。その後、転送パケットＦ４は、図７に示すように、ＩＰ領域Ｆ４ａ（網掛け部分）にタイムスタンプが付与された状態で、ハンドオーバ元のフェムト基地局１０から送信される。転送パケットを中継するＳｅＧＷ５０は、転送パケットＦ４を受信すると、ＩＰ、ＩＰｓｅｃを終端する。ＳｅＧＷ５０は、転送パケットＦ５のＩＰ領域Ｆ５ａ（図７の網掛け部分）に記録されているタイムスタンプを解読し、その時刻と、ＳｅＧＷ５０が転送パケットＦ４を受信した時刻とを比較することで、有線ブロードバンド回線Ｎ１の通信品質を測定する。ＳｅＧＷ５０は、通信品質の測定を終えると、転送パケットＦ５のＩＰ領域Ｆ５ａから、タイムスタンプを消去する。その結果、転送パケットＦ５は、ＳｅＧＷ５０において、転送パケットＦ６に示す状態となる。すなわち、転送パケットは、送信時における転送パケットＦ４と再び同じ状態となり、ハンドオーバ先のマクロ基地局４０に到達する。これにより、ハンドオーバ後の移動局Ｕ４は、ハンドオーバ元のフェムト基地局１０が送信した転送パケットと同一のパケットを受信することができる。
【００３２】
上述したように、下り方向の測定では、フェムト基地局１０は、測定終了に伴い、不要となったタイムスタンプを転送パケットのＩＰヘッダから消去する。同様に、上り方向の測定では、通信品質の測定を終了したＳｅＧＷ５０は、不要となったタイムスタンプを転送パケットから消去する。これにより、転送パケットの宛先となる移動局は、何れの回線方向の測定を行う場合においても、測定を行わない場合と同一の転送パケットを受信することができる。換言すれば、移動局は、パケットの送信元が本来提供を意図したパケットを取得することができる。したがって、無線通信システム１は、移動局に影響を与えることなく、通信品質の良い基地局に移動局をハンドオーバさせることができる。その結果、移動局は、新たな処理の発生や負荷を伴うことなく、最適な基地局を選択することが可能となる。
【００３３】
次に、図８を参照しながら、有線ブロードバンド回線Ｎ１の通信品質を測定する方法について、より具体的に説明する。図８は、有線ブロードバンド回線Ｎ１の通信品質測定テーブルの一例を示す図である。図８に示すように、通信品質測定テーブルＴ１には、測定対象となる回線名を示す情報として“有線ブロードバンド回線Ｎ１”が記録されている。併せて、測定対象となる回線を運用・管理する事業者、及び測定対象となる回線の設置されている地域を示す情報が記録されている。また、通信品質測定テーブルＴ１には、上記回線名の示す有線回線を通過する各転送パケットの送信時刻と受信時刻とが対応付けられ、転送パケット情報として記録されている。転送パケット情報の「送信時刻」は、上述したタイムスタンプの示す時刻であり、「受信時刻」は、フェムト基地局１０が各転送パケットを受信した時刻である。
【００３４】
フェムト基地局１０は、品質測定情報処理部１５により、上記送信時刻と上記受信時刻とから、下り方向の通信品質を測定する。フェムト基地局１０での測定対象となる通信品質を示す指標は、例えば、遅延時間、スループット、揺らぎである。遅延時間は、各転送パケットについての上記送信時刻と上記受信時刻との差分から測定される。例えば、送信時刻が“17:42:25.000”であり、受信時刻が“17:42:25.500”である場合には、遅延時間は“500ms”と測定される。遅延時間は、各転送パケット毎に算出可能であるが、複数の転送パケットの遅延時間を算出し、それらの平均値を、回線の遅延時間としてもよい。例えば、図８においては、各転送パケットの遅延時間は、それぞれ“500ms”、“690ms”、“730ms”、“870ms”、…、“500ms”であることから、回線の遅延時間は“658ms”と測定される。
【００３５】
また、スループットについては、転送パケットのＩＰヘッダＰ１に格納されているデータグラム長Ｐ１ｂ（図５参照）を、対応する転送パケットの送信時刻と受信時刻との差分により除算することで算定される。例えば、送信時刻が“17:42:25.000”であり、受信時刻が“17:42:25.500”である転送パケットの場合、品質測定情報処理部１５は、当該転送パケットのデータグラム長を参照し、その値を、時刻差分である“500ms”で除算する。また、フェムト基地局１０は、通信品質測定テーブルＴ１に記録されている全ての転送パケットを、スループットの測定に用いてもよい。すなわち、品質測定情報処理部１５は、全転送パケットのデータグラム長を合計し、その値を、これらの転送パケットの送受信に要した時間（5.500s＝17:42:30.500−17:42:25.000）で除算する。これにより、より精確なスループットの測定が可能となる。
【００３６】
揺らぎについては、周知慣用な算出手法により測定可能であることから、その詳細な説明は省略するが、品質測定情報処理部１５は、例えば、上述した各転送パケットの遅延時間の二乗平均平方根（ＲＭＳ：Root  Mean  Square）を算出することで、統計的な揺らぎの指標値を得ることができる。
【００３７】
以上、下り方向の通信品質を測定する方法について説明したが、上り方向の通信品質についても、転送パケットの送信方向が異なる点を除き、同様の方法により、測定することができる。すなわち、ＳｅＧＷ５０は、品質測定情報処理部５１により、上記送信時刻と上記受信時刻とから、上り方向の通信品質として、遅延時間、スループット、揺らぎの測定を行う。
【００３８】
（第２の動作について）
次に、第２の動作、すなわち、無線通信システム１が、回線品質情報を、移動局Ｕ１〜Ｕ４に通知すると共に、フェムト基地局１０、２０、３０間で共有する動作について、説明する。
【００３９】
まず、下り方向の回線品質情報について説明する。フェムト基地局１０は、上述した通信品質測定結果を基に、有線ブロードバンド回線Ｎ１の回線品質の良否を判定する。回線品質の良否は、移動局のハンドオーバ先の候補となる、有線ブロードバンド回線Ｎ１の通信品質と専用回線Ｎ３の通信品質との比較結果に基づいて判定される。有線ブロードバンド回線Ｎ１の通信品質が、専用回線Ｎ３の通信品質以上であれば、回線品質は「○」と判定されるが、有線ブロードバンド回線Ｎ１の通信品質が、専用回線Ｎ３の通信品質未満であれば、回線品質は「×」と判定される。かかる判定は、通信品質測定結果をパラメータとして行われるが、必ずしも、遅延時間、スループット、揺らぎの全てを用いる必要はない。例えば、フェムト基地局１０は、有線ブロードバンド回線Ｎ１のスループットが、専用回線Ｎ３のスループット以上である場合に、回線品質判定結果を「○」としてもよいし、遅延時間、スループット、揺らぎの全てが専用回線Ｎ３以上となった場合に初めて「○」としてもよい。また、フェムト基地局１０は、必ずしも、専用回線Ｎ３の通信品質との比較結果に基づいて良否判定を行う必要はない。すなわち、フェムト基地局１０は、所定の閾値を通信品質測定結果毎に設定しておき、遅延時間、スループット、揺らぎの何れかまたは全てが当該閾値を超えた場合に、有線ブロードバンド回線Ｎ１の品質を「○」と判定するものとしてもよい。
【００４０】
フェムト基地局１０は、有線ブロードバンド回線Ｎ１の品質を判定すると、当該判定結果から回線品質情報を作成する。図９は、有線ブロードバンド回線Ｎ１の回線品質情報の一例を示す図である。図９に示すように、回線品質情報Ｔ２は、通信品質測定テーブルＴ１と同様の情報として、回線名、回線事業者名、回線設置地域を示す情報を含む。また、回線品質情報Ｔ２には、上述した回線品質判定結果が良好であることを示す「○」が記録されている。併せて、回線品質情報Ｔ２の通知先となる基地局の一覧を示す情報として、「フェムト基地局２０」、「フェムト基地局３０」が記録されている。
【００４１】
回線品質情報は、フェムト基地局１０を起点として配信される。フェムト基地局１０は、図１０に示すように、回線品質情報を、フェムト基地局１０配下の移動局Ｕ１宛に送信する（矢印Ｙ１参照）と共に、同じく有線ブロードバンド回線Ｎ１に接続されている他のフェムト基地局２０宛に送信する（矢印Ｙ２参照）。これにより、有線ブロードバンド回線Ｎ１の回線品質情報は、通信品質の測定後直ちに、移動局に通知され、フェムト基地局間で共有される。
【００４２】
なお、回線品質情報の通知先は、通知元のフェムト基地局１０に接続する移動局Ｕ１やフェムト基地局２０に限らない。すなわち、フェムト基地局１０は、フェムト基地局２０配下の移動局（例えば、移動局Ｕ２）、他の有線ブロードバンド回線Ｎ２に接続するフェムト基地局３０及びその配下の移動局（例えば、移動局Ｕ３）に対して、回線品質情報を送信してもよい。更に、フェムト基地局１０は、マクロ基地局４０及びその配下の移動局（例えば、移動局Ｕ４）に対して、回線品質情報を送信してもよい。これにより、有線ブロードバンド回線Ｎ１に接続する基地局や移動局のみならず、他の回線に接続する基地局や移動局についても、ハンドオーバの要否を判定したり、ハンドオーバ先を選択したりする際の判断指標として、回線品質情報を用いることができる。したがって、移動局Ｕ１〜Ｕ４は、回線品質情報を参照することで、より高い通信品質での通信が可能な基地局との間で、通信を行うことが可能となる。その結果、無線通信システム１全体の通信品質が向上する。
【００４３】
次に、上り方向の回線品質情報について説明する。上り方向の回線品質情報は、下り方向の回線品質情報と作成主体が異なる。すなわち、下り方向の回線品質情報は、フェムト基地局１０が作成するものとしたが、上り方向の回線品質情報は、上り方向の通信品質を測定したＳｅＧＷ５０が作成する。回線品質情報の作成方法については、下り方向と同様であるので、その詳細な説明は省略する。ＳｅＧＷ５０は、通信品質測定結果から回線品質情報を作成した後、この回線品質情報を、有線ブロードバンド回線Ｎ１経由で、フェムト基地局１０に送信する。回線品質情報は、図１１に示すX2-AP（Application  Protocol）のプロトコルに従い、例えば、3GPP  TS  36.422（X2  signaling  transport）のメッセージを使用して、フェムト基地局１０に通知される。そして、フェムト基地局１０に到達した回線品質情報は、下り方向の場合と同様、フェムト基地局１０を起点として、各基地局及び移動局に配信される。
【００４４】
上述したように、有線ブロードバンド回線Ｎ１に接続するフェムト基地局１０以外のフェムト基地局（例えば、フェムト基地局２０）は、フェムト基地局１０の得た回線品質情報を共有する。このため、フェムト基地局は、自ら品質測定を行うことなく、リアルタイムに回線の品質状態を知ることができる。また、フェムト基地局１０が起点となり、回線品質情報を配信するため、同一の有線ブロードバンド回線Ｎ１に対する重複した品質測定が回避される。したがって、通信品質の測定回数は減少し、これに伴う通信負荷や処理負荷が低減される。
【００４５】
（第３の動作について）
次に、第３の動作、すなわち、無線通信システム１が、回線品質情報に基づき、ハンドオーバの要否を判定することで、通信品質の低下を回避する動作について、説明する。
【００４６】
まず、移動局Ｕ４が、マクロ基地局４０に在圏する場合を想定し、フェムト基地局１０が、下り方向の回線品質情報に基づき、移動局Ｕ４のハンドオーバの要否を決定する態様について、説明する。移動局Ｕ４が、マクロ基地局４０からフェムト基地局１０へのハンドオーバを試みると、フェムト基地局１０は、転送パケットから得られた回線品質情報を基に、有線ブロードバンド回線Ｎ１の良否を判定する。判定の結果、当該回線の品質が良い場合には、フェムト基地局１０は、第２の動作において説明した手法により、移動局Ｕ１、フェムト基地局２０等に対して、回線品質情報の通知を行う。一方、移動局Ｕ４は、マクロ基地局４０からフェムト基地局１０へのＸ２ハンドオーバを完了する。なお、当該Ｘ２ハンドオーバに伴ってマクロ基地局４０からフェムト基地局１０に転送されたパケット（転送パケット）は、通信品質の測定に使用された後、ハンドオーバ先のフェムト基地局１０において、ハンドオーバ後の移動局Ｕ４によって取得される。これにより、移動局Ｕ４は、フェムト基地局１０配下において、通信品質の高い有線ブロードバンド回線Ｎ１を介して、パケット通信を行うことができる。その結果、無線通信システム１における通信品質の低下は抑制される。
【００４７】
これに対して、有線ブロードバンド回線Ｎ１の品質が悪い場合には、フェムト基地局１０は、ＬＴＥのＳＯＮ（Self  Organizing  Network）機能により、送信電力量を自動的に制御する。すなわち、フェムト基地局１０は、自局の送信電力を低減し、フェムト基地局１０と通信を行う移動局の受信電波強度を下げることで、移動局Ｕ４に、マクロ基地局４０配下での通信を継続させる。換言すれば、フェムト基地局１０は、移動局Ｕ４にハンドオーバをさせないことで、マクロ基地局４０圏内でのパケット通信を促す。これにより、通信品質の悪い有線ブロードバンド回線Ｎ１へのハンドオーバは回避される。なお、転送パケットは、フェムト基地局１０において通信品質の測定に使用された後、フェムト基地局１０からマクロ基地局４０に転送され、ハンドオーバ元のマクロ基地局４０において、移動局Ｕ４によって取得される。したがって、移動局Ｕ４は、マクロ基地局４０配下において、通信品質の低い有線ブロードバンド回線Ｎ１を介することなく、パケット通信を行うことができる。その結果、上記何れの場合においても、無線通信システム１における通信品質の低下は抑制される。
【００４８】
次に、移動局Ｕ１がフェムト基地局１０に在圏する場合を想定し、フェムト基地局１０が、上り方向の回線品質情報に基づき、移動局Ｕ１のハンドオーバの要否を決定する態様について、説明する。移動局Ｕ１が、フェムト基地局１０からマクロ基地局４０へのハンドオーバを試みると、フェムト基地局１０は、当該ハンドオーバの試行に伴って発生した転送パケットから得られた回線品質情報を基に、有線ブロードバンド回線Ｎ１の良否を判定する。判定の結果、当該回線の品質が良い場合には、フェムト基地局１０は、第２の動作において説明した手法により、移動局Ｕ１、フェムト基地局２０等に対して、回線品質情報の通知を行う。一方、移動局Ｕ１は、フェムト基地局１０との通信を継続する。なお、転送パケットは、ＳｅＧＷ５０において通信品質の測定に使用された後、ＳｅＧＷ５０（若しくはマクロ基地局４０）からフェムト基地局１０に転送され、ハンドオーバ元のフェムト基地局１０において、移動局Ｕ１によって取得される。これにより、移動局Ｕ１は、フェムト基地局１０配下において、通信品質の高い有線ブロードバンド回線Ｎ１を介して、パケット通信を行うことができる。したがって、無線通信システム１における通信品質の低下は抑制される。
【００４９】
これに対して、有線ブロードバンド回線Ｎ１の品質が悪い場合には、フェムト基地局１０は、自局の送信電力を低減し、フェムト基地局１０と通信を行う移動局Ｕ１の受信電波強度を下げることで、マクロ基地局４０へのハンドオーバを促す。換言すれば、フェムト基地局１０は、移動局Ｕ１に対して、フェムト基地局１０からマクロ基地局４０への退避を指示する。これにより、通信品質の良いマクロ基地局４０へのＸ２ハンドオーバが実現される。なお、当該Ｘ２ハンドオーバに伴ってフェムト基地局１０からマクロ基地局４０に転送されたパケット（転送パケット）は、ＳｅＧＷ５０において通信品質の測定に使用された後、ハンドオーバ先のマクロ基地局４０において、ハンドオーバ後の移動局Ｕ１によって取得される。したがって、移動局Ｕ１は、マクロ基地局４０配下において、通信品質の低い有線ブロードバンド回線Ｎ１を介することなく、パケット通信を行うことができる。その結果、上記何れの場合においても、無線通信システム１における通信品質の低下は抑制される。
【００５０】
なお、移動局Ｕ１が退避先としてハンドオーバする基地局は、マクロ基地局４０に限らず、他のフェムト基地局であってもよい。すなわち、移動局Ｕ１のハンドオーバ先は、フェムト基地局１０との通信よりも高品質の通信が、回線品質情報に基づいて予想される基地局（例えば、フェムト基地局３０）であればよい。有線ブロードバンド回線Ｎ１の通信品質が悪い場合、フェムト基地局１０だけでなく、同じ回線に接続するフェムト基地局２０も、送信電力を低減することから、移動局Ｕ１は、フェムト基地局２０へハンドオーバすることはない。例えば、フェムト基地局１０の送信電力低下に伴い、移動局Ｕ１がフェムト基地局３０にハンドオーバした場合、通信品質の測定に使用された転送パケットは、図１２の矢印Ｙ３に示す経路を通って、ハンドオーバ後の移動局Ｕ１に到達する。上述したように、移動局Ｕ１が当該転送パケットを受信する時には、フェムト基地局１０が転送パケットに付与したタイムスタンプはＳｅＧＷ５０にて消去されている。したがって、移動局Ｕ１は、フェムト基地局１０から本来受信する予定であったパケットと同一の転送パケットを、より通信品質の高いフェムト基地局３０在圏下で受信することができる。
【００５１】
通信品質の悪いフェムト基地局の送信電力は、例えば、以下の様に低減制御される。フェムト基地局１０は、低減後の送信電力値が現在の送信電力値の１／２となる様に、段階的に、送信電力を低減していく。すなわち、フェムト基地局１０は、移動局Ｕ１から送信されるRRC  Measurement  Reportを基に、移動局Ｕ１のハンドオーバの可否を判定する。当該判定の結果、ハンドオーバ可能であれば、フェムト基地局１０は、移動局Ｕ１を他のフェムト基地局（例えば、フェムト基地局３０）へハンドオーバさせる。ハンドオーバの実行が可能でない場合には、フェムト基地局１０は、送信電力値を更に１／２に低下させた後、移動局Ｕ１から送信されるRRC  Measurement  Reportを基に、移動局Ｕ１のハンドオーバの可否を判定する。当該判定の結果、ハンドオーバ可能となった場合には、フェムト基地局１０は、移動局Ｕ１を他のフェムト基地局へハンドオーバさせる。ハンドオーバの実行が可能でない場合には、フェムト基地局１０は、移動局Ｕ１のハンドオーバが可能となるまで、上述の処理を繰り返し実行する。これにより、移動局は、通信品質の悪い基地局から他の基地局へのハンドオーバ（退避）を完了する。
【００５２】
続いて、図１３〜図１９を参照しながら、本実施例に係るＸ２ハンドオーバについて、更に詳細に説明する。まず、図１３を参照して、移動局Ｕ４がマクロ基地局４０からフェムト基地局１０へＸ２ハンドオーバする場合における、下り方向の通信品質測定処理を説明する。
【００５３】
（Ｘ２ハンドオーバ実行前の動作）
移動局Ｕ４は、マクロ基地局４０に対して、MEASUREMENT  REPORT信号を送信すると（Ｖ１）、当該信号を受信したマクロ基地局４０は、ハンドオーバ先のフェムト基地局１０宛に、Ｘ２ハンドオーバの要求を伝える信号（HANDOVER  REQUEST信号）を送信する（Ｖ２）。これにより、ユーザデータのパケット（U-Planeデータ）は、マクロ基地局４０を経由して、移動局Ｕ４とＳｅＧＷ５０との間で送受信される。Ｖ２にてHANDOVER  REQUEST信号を受信したフェムト基地局１０は、ハンドオーバ元の基地局であるマクロ基地局４０に対し、Ｘ２ハンドオーバの要求に対する肯定応答を伝える信号（HANDOVER  REQUEST  ACKNOWLEDGE信号）を返信する（Ｖ３）。マクロ基地局４０は、HANDOVER  REQUEST  ACKNOWLEDGE信号をフェムト基地局１０から受信すると、移動局Ｕ４宛に、RRC  CONNECTION  RECONFIGURATION信号を送信する（Ｖ４）。これにより、マクロ基地局４０からフェムト基地局１０へのデータ転送用パスが設定される。このとき、移動局Ｕ４とＳｅＧＷ５０との間における、U-Planeデータの送受信は、継続されている。
【００５４】
（セル切替え前の動作）
Ｖ５では、マクロ基地局４０は、フェムト基地局１０に対してSN  STATUS  TRANSFER信号を送信した後、転送パケットをＳｅＧＷ５０宛に送信する（Ｖ６）。ＳｅＧＷ５０は、受信した転送パケットのＩＰヘッダに品質測定情報（タイムスタンプ）を付与した後（Ｖ７）、当該転送パケットをフェムト基地局１０宛に転送する（Ｖ８）。フェムト基地局１０は、上述した通信品質測定結果を基に、有線ブロードバンド回線Ｎ１の下り回線品質を解析する（Ｖ９）。フェムト基地局１０は、U-Planeデータとしての転送パケットをバッファリングする。
【００５５】
（セル切替え後からパス切換え前の動作）
Ｖ１０では、移動局Ｕ４は、Ｖ４で受信されたRRC  CONNECTION  RECONFIGURATION信号に対する肯定応答として、RRC  CONNECTION  RECONFIGURATION  COMPLETE信号を、フェムト基地局１０宛に送信する。パケットデータは、移動局Ｕ４とフェムト基地局１０との間で送受信される（Ｖ１１）と共に、フェムト基地局１０からＭＭＥ６１に送信される（Ｖ１２）。すなわち、アップロードデータは、移動局Ｕ４からフェムト基地局１０経由でＳｅＧＷ５０に送信され、ダウンロードデータは、マクロ基地局４０からフェムト基地局１０経由で移動局Ｕ４に転送される。
【００５６】
（パス切換え後の動作）
Ｖ１３において、PATH  SWITCH  REQUEST信号が、フェムト基地局１０からＭＭＥ６１に送信されると、ＭＭＥ６１は、マクロ基地局４０に向けて、End  Marker信号を送信する（Ｖ１４）。これにより、U-Planeデータとしての転送パケットは、フェムト基地局１０を介して、移動局Ｕ４とＳｅＧＷ５０との間で送受信される。パケットデータは、フェムト基地局１０とＭＭＥ６１との間で送受信される（Ｖ１５）と共に、マクロ基地局４０からフェムト基地局１０に送信される（Ｖ１６）。すなわち、フェムト基地局１０は、新たに受信されたダウンロードデータよりも、マクロ基地局４０から転送されたデータを優先的に移動局Ｕ４へ転送する。
【００５７】
（ハンドオーバ完了後の動作）
ＭＭＥ６１が、Ｖ１３で受信されたPATH  SWITCH  REQUEST信号に対する肯定応答として、PATH  SWITCH  REQUEST  ACKNOWLEDGE信号をフェムト基地局１０に返信する（Ｖ１７）と、フェムト基地局１０は、UE  CONTEXT  RELEASE信号をマクロ基地局４０宛に送信する（Ｖ１８）。これにより、マクロ基地局４０からの全てのパケットデータの転送が完了し、パケット転送用パスのリソースが開放される。そして、上記U-Planeデータは、フェムト基地局１０を経由して、移動局Ｕ４とＳｅＧＷ５０との間で送受信される。
【００５８】
次に、図１４を参照して、移動局Ｕ１がフェムト基地局１０からマクロ基地局４０へＸ２ハンドオーバする場合における、上り方向の通信品質測定処理を説明する。
【００５９】
（Ｘ２ハンドオーバ実行前の動作）
移動局Ｕ１は、フェムト基地局１０に対して、MEASUREMENT  REPORT信号を送信すると（Ｖ２１）、当該信号を受信したフェムト基地局１０は、ハンドオーバ先のマクロ基地局４０宛に、Ｘ２ハンドオーバの要求を伝える信号（HANDOVER  REQUEST信号）を送信する（Ｖ２２）。これにより、U-Planeデータは、フェムト基地局１０を経由して、移動局Ｕ１とＳｅＧＷ５０との間で送受信される。Ｖ２２にてHANDOVER  REQUEST信号を受信したマクロ基地局４０は、ハンドオーバ元の基地局であるフェムト基地局１０に対し、Ｘ２ハンドオーバの要求に対する肯定応答を伝える信号（HANDOVER  REQUEST  ACKNOWLEDGE信号）を返信する（Ｖ２３）。フェムト基地局１０は、HANDOVER  REQUEST  ACKNOWLEDGE信号をマクロ基地局４０から受信すると、移動局Ｕ１宛に、RRC  CONNECTION  RECONFIGURATION信号を送信する（Ｖ２４）。これにより、フェムト基地局１０からマクロ基地局４０へのデータ転送用パスが設定される。このとき、移動局Ｕ１とＳｅＧＷ５０との間における、U-Planeデータの送受信は、継続されている。
【００６０】
（セル切替え前の動作）
Ｖ２５では、フェムト基地局１０は、マクロ基地局４０に対してSN  STATUS  TRANSFER信号を送信した後、移動局Ｕ１宛の転送パケットのＩＰヘッダに品質測定情報（タイムスタンプ）を付与する（Ｖ２６）。フェムト基地局１０は、当該転送パケットをＳｅＧＷ５０に送信する（Ｖ２７）。ＳｅＧＷ５０は、上述した通信品質測定結果を基に、有線ブロードバンド回線Ｎ１の上り回線品質を解析し（Ｖ２８）、解析終了後、上記転送パケットをマクロ基地局４０宛に転送する（Ｖ２９）。マクロ基地局４０は、U-Planeデータとしての転送パケットをバッファリングする。
【００６１】
（セル切替え後からパス切換え前の動作）
Ｖ３０では、移動局Ｕ１は、Ｖ２４で受信されたRRC  CONNECTION  RECONFIGURATION信号に対する肯定応答として、RRC  CONNECTION  RECONFIGURATION  COMPLETE信号を、マクロ基地局４０宛に送信する。パケットデータは、移動局Ｕ１とマクロ基地局４０との間で送受信される（Ｖ３１）と共に、マクロ基地局４０からＭＭＥ６１に送信される（Ｖ３２）。すなわち、アップロードデータは、移動局Ｕ１からマクロ基地局４０経由でＳｅＧＷ５０に送信され、ダウンロードデータは、フェムト基地局１０からマクロ基地局４０経由で移動局Ｕ１に転送される。
【００６２】
（パス切換え後の動作）
Ｖ３３において、PATH  SWITCH  REQUEST信号が、マクロ基地局４０からＭＭＥ６１に送信されると、ＭＭＥ６１は、フェムト基地局１０に向けて、End  Marker信号を送信する（Ｖ３４）。これにより、U-Planeデータとしての転送パケットは、マクロ基地局４０を介して、移動局Ｕ１とＳｅＧＷ５０との間で送受信される。パケットデータは、マクロ基地局４０とＭＭＥ６１との間で送受信される（Ｖ３５）と共に、フェムト基地局１０からマクロ基地局４０に送信される（Ｖ３６）。すなわち、マクロ基地局４０は、新たに受信されたダウンロードデータよりも、フェムト基地局１０から転送されたデータを優先的に移動局Ｕ１へ転送する。
【００６３】
（ハンドオーバ完了後の動作）
ＭＭＥ６１が、Ｖ３３で受信されたPATH  SWITCH  REQUEST信号に対する肯定応答として、PATH  SWITCH  REQUEST  ACKNOWLEDGE信号をマクロ基地局４０に返信する（Ｖ３７）と、マクロ基地局４０は、UE  CONTEXT  RELEASE信号をフェムト基地局１０宛に送信する（Ｖ３８）。これにより、フェムト基地局１０からの全てのパケットデータの転送が完了し、パケット転送用パスのリソースが開放される。そして、上記U-Planeデータは、マクロ基地局４０を経由して、移動局Ｕ１とＳｅＧＷ５０との間で送受信される。
【００６４】
次に、図１５を参照して、下り回線品質測定処理を説明する。図１５は、マクロ基地局４０からフェムト基地局１０へのＸ２ハンドオーバ発生時における下り回線品質測定処理を説明するための図である。
【００６５】
移動局Ｕ１がＸ２ハンドオーバを開始すると（Ｗ１）、マクロ基地局４０はＳｅＧＷ５０に転送パケットを送信する（Ｗ２）。ＳｅＧＷ５０は、マクロ基地局４０から転送パケットを受信すると、当該パケットに品質測定情報を付与する（Ｗ３）。併せて、ＳｅＧＷ５０は、フェムト基地局１０、２０、３０との間で、時刻同期要求信号とその応答信号の送受信により、周期的に時刻同期を図っている（Ｗ４〜Ｗ９）。フェムト基地局１０は、品質測定情報の付与された転送パケットをＳｅＧＷ５０から受信すると（Ｗ１０）、上述した通信品質測定結果を基に、有線ブロードバンド回線Ｎ１の下り回線品質を解析する（Ｗ１１）。
【００６６】
移動局Ｕ１がＸ２ハンドオーバを完了すると（Ｗ１２）、フェムト基地局１０は、上述した回線品質情報を確認し（Ｗ１３）、その回線品質情報をフェムト基地局２０に通知する（Ｗ１４）。フェムト基地局２０においても同様に、上記回線品質情報を確認した（Ｗ１５）後、フェムト基地局１０に確認応答を返信する（Ｗ１６）。同様に、フェムト基地局１０が上述の回線品質情報を移動局Ｕ１に通知する（Ｗ１７）と、移動局Ｕ１は、当該回線品質情報を確認した（Ｗ１８）後、フェムト基地局１０宛に確認応答を返信する（Ｗ１９）。
【００６７】
次に、図１６を参照して、上り回線品質測定処理を説明する。図１６は、フェムト基地局１０からマクロ基地局４０へのＸ２ハンドオーバ発生時における上り回線品質測定処理を説明するための図である。
【００６８】
移動局Ｕ１は、Ｘ２ハンドオーバを開始すると（Ｗ２１）、フェムト基地局１０宛に転送パケットを送信する（Ｗ２２）。フェムト基地局１０は、移動局Ｕ１から転送パケットを受信すると、当該パケットに品質測定情報を付与する（Ｗ２３）。ＳｅＧＷ５０は、フェムト基地局１０、２０、３０との間で、時刻同期要求信号とその応答信号の送受信により、周期的に時刻同期を図っている（Ｗ２４〜Ｗ２９）。ＳｅＧＷ５０は、Ｗ２３で品質測定情報の付与された転送パケットをフェムト基地局１０から受信すると（Ｗ３０）、上述した通信品質測定結果を基に、有線ブロードバンド回線Ｎ１の上り回線品質を解析する（Ｗ３１）。
【００６９】
移動局Ｕ１がＸ２ハンドオーバを完了すると（Ｗ３２）、ＳｅＧＷ５０は、上述した回線品質情報を確認し（Ｗ３３）、その回線品質情報を、各フェムト基地局１０、２０、３０に通知する（Ｗ３４、Ｗ３５、Ｗ３６）。同様に、各フェムト基地局１０、２０、３０は、ＳｅＧＷ５０からそれぞれ通知された上記回線品質情報を確認した（Ｗ３７、Ｗ３８、Ｗ３９）後、ＳｅＧＷ５０に対して、その応答を返信する（Ｗ４０、Ｗ４１、Ｗ４２）。
【００７０】
次に、図１７を参照して、回線品質の測定結果に基づき、移動局Ｕ１が、フェムト基地局１０からフェムト基地局２０へＸ２ハンドオーバを実行する処理を説明する。図１５に示した下り回線品質測定処理が完了すると、フェムト基地局１０は、自局の送信電力を低減する処理を実行する（Ｗ５１）と共に、フェムト基地局３０に対して、送信電力の低減を指示する（Ｗ５２）。当該指示を受信したフェムト基地局３０は、フェムト基地局１０と同様、自局の送信電力を低減する処理を実行し（Ｗ５３）、Ｗ５２の送信電力低減指示に対する応答をフェムト基地局１０に返信する（Ｗ５４）。これにより、移動局Ｕ１のハンドオーバ先候補となるフェムト基地局１０、２０、３０、マクロ基地局４０の内、送信電力を低減していないフェムト基地局２０の送信電力が相対的に高くなる。
【００７１】
移動局Ｕ１は、Ｘ２ハンドオーバを開始すると（Ｗ５５）、ＳｅＧＷ５０宛に転送パケットを送信する（Ｗ５６）。ＳｅＧＷ５０は、移動局Ｕ１から転送パケットを受信すると、当該パケットに品質測定情報を付与する（Ｗ５７）。フェムト基地局２０は、品質測定情報の付与された転送パケットをＳｅＧＷ５０から受信すると（Ｗ５８）、上述した通信品質測定結果を基に、有線ブロードバンド回線Ｎ１の下り回線品質を解析する（Ｗ５９）。
【００７２】
移動局Ｕ１がＸ２ハンドオーバを完了すると（Ｗ６０）、フェムト基地局２０は、上述した回線品質情報を確認し（Ｗ６１）、その回線品質情報を、他のフェムト基地局１０、３０に通知する（Ｗ６２、Ｗ６３）。同様に、各フェムト基地局１０、３０は、フェムト基地局２０からそれぞれ通知された上記回線品質情報を確認した（Ｗ６４、Ｗ６５）後、フェムト基地局２０に対して、その応答を返信する（Ｗ６６、Ｗ６７）。フェムト基地局１０は、フェムト基地局２０から上記回線品質情報の通知を受けると、その回線品質情報を、自局の収容する移動局Ｕ１に通知する（Ｗ６８）。移動局Ｕ１は、フェムト基地局１０から通知された上記回線品質情報を確認した（Ｗ６９）後、フェムト基地局１０に対して、その応答を返信する（Ｗ７０）。同様に、フェムト基地局２０、３０においても、各基地局配下の移動局Ｕ２、Ｕ３宛に、上記回線品質情報が通知される（Ｗ７１、Ｗ７２）。該通知を受けた移動局Ｕ２、Ｕ３は、接続する基地局から配信された上記回線品質情報を確認した（Ｗ７３、Ｗ７４）後、各フェムト基地局２０、３０に対して、その応答を返信する（Ｗ７５、Ｗ７６）。
【００７３】
続いて、図１８を参照して、回線品質の測定結果に基づき、移動局Ｕ１が、フェムト基地局１０からフェムト基地局３０へＸ２ハンドオーバを実行する処理を説明する。図１５に示した下り回線品質測定処理が完了すると、フェムト基地局１０は、自局の送信電力を低減する処理を実行する（Ｗ８１）と共に、フェムト基地局２０に対して、送信電力の低減を指示する（Ｗ８２）。当該指示を受信したフェムト基地局２０は、フェムト基地局１０と同様、自局の送信電力を低減する処理を実行し（Ｗ８３）、Ｗ８２の送信電力低減指示に対する応答をフェムト基地局１０に返信する（Ｗ８４）。これにより、移動局Ｕ１のハンドオーバ先候補となるフェムト基地局１０、２０、３０、マクロ基地局４０の内、送信電力を低減していないフェムト基地局３０の送信電力が相対的に高くなり、フェムト基地局３０へのハンドオーバが促される。
【００７４】
移動局Ｕ１は、Ｘ２ハンドオーバを開始すると（Ｗ８５）、ＳｅＧＷ５０宛に転送パケットを送信する（Ｗ８６）。ＳｅＧＷ５０は、移動局Ｕ１から転送パケットを受信すると、当該パケットに品質測定情報を付与する（Ｗ８７）。フェムト基地局３０は、品質測定情報の付与された転送パケットをＳｅＧＷ５０から受信すると（Ｗ８８）、上述した通信品質測定結果を基に、有線ブロードバンド回線Ｎ１の下り回線品質を解析する（Ｗ８９）。
【００７５】
移動局Ｕ１がＸ２ハンドオーバを完了すると（Ｗ９０）、フェムト基地局３０は、上述した回線品質情報を確認し（Ｗ９１）、その回線品質情報を、他のフェムト基地局１０、２０に通知する（Ｗ９２、Ｗ９３）。同様に、各フェムト基地局１０、２０は、フェムト基地局３０からそれぞれ通知された上記回線品質情報を確認した（Ｗ９４、Ｗ９５）後、フェムト基地局３０に対して、その応答を返信する（Ｗ９６、Ｗ９７）。
【００７６】
フェムト基地局１０は、フェムト基地局３０から上記回線品質情報の通知を受けると、その回線品質情報を、自局の収容する移動局Ｕ１に通知する（Ｗ９８）。移動局Ｕ１は、フェムト基地局１０から通知された上記回線品質情報を確認した（Ｗ９９）後、フェムト基地局１０に対して、その応答を返信する（Ｗ１００）。同様に、フェムト基地局３０、２０においても、各基地局配下の移動局Ｕ３、Ｕ２宛に、上記回線品質情報が通知される（Ｗ１０１、Ｗ１０２）。該通知を受けた移動局Ｕ３、Ｕ２は、接続する基地局から配信された上記回線品質情報を確認した（Ｗ１０３、Ｗ１０４）後、各フェムト基地局３０、２０に対して、その応答を返信する（Ｗ１０５、Ｗ１０６）。
【００７７】
次に、図１９を参照して、回線品質の測定結果に基づき、移動局Ｕ１が、フェムト基地局１０からマクロ基地局４０へＸ２ハンドオーバを実行する処理を説明する。図１５に示した下り回線品質測定処理が完了すると、フェムト基地局１０は、自局の送信電力を低減する処理を実行する（Ｗ１１１）と共に、フェムト基地局２０及び３０に対して、送信電力の低減を指示する（Ｗ１１２、Ｗ１１３）。当該指示を受信したフェムト基地局２０、３０は、フェムト基地局１０と同様、自局の送信電力を低減する処理を実行し（Ｗ１１４、Ｗ１１５）、Ｗ１１２、Ｗ１１３の送信電力低減指示に対する応答をフェムト基地局１０に返信する（Ｗ１１６、Ｗ１１７）。これにより、移動局Ｕ１のハンドオーバ先候補となるフェムト基地局１０、２０、３０、マクロ基地局４０の内、送信電力を低減していないマクロ基地局４０の送信電力が相対的に高くなり、マクロ基地局４０へのハンドオーバが促される。
【００７８】
移動局Ｕ１は、Ｘ２ハンドオーバを開始すると（Ｗ１１８）、フェムト基地局１０宛に転送パケットを送信する（Ｗ１１９）。フェムト基地局１０は、移動局Ｕ１から転送パケットを受信すると、当該パケットに品質測定情報を付与する（Ｗ１２０）。ＳｅＧＷ５０は、品質測定情報の付与された転送パケットをフェムト基地局１０から受信すると（Ｗ１２１）、上述した通信品質測定結果を基に、有線ブロードバンド回線Ｎ１の下り回線品質を解析する（Ｗ１２２）。
【００７９】
移動局Ｕ１がＸ２ハンドオーバを完了すると（Ｗ１２３）、ＳｅＧＷ５０は、上述した回線品質情報を確認し（Ｗ１２４）、その回線品質情報を、各フェムト基地局１０、２０、３０に通知する（Ｗ１２５、Ｗ１２６、Ｗ１２７）。同様に、各フェムト基地局１０、３０、及びマクロ基地局４０は、ＳｅＧＷ５０からそれぞれ通知された上記回線品質情報を確認した（Ｗ１２８、Ｗ１２９、Ｗ１３０）後、フェムト基地局３０に対して、その応答を返信する（Ｗ１３１、Ｗ１３２、Ｗ１３３）。
【００８０】
フェムト基地局１０は、ＳｅＧＷ５０から上記回線品質情報の通知を受けると、その回線品質情報を、自局の収容する移動局Ｕ１に通知する（Ｗ１３４）。移動局Ｕ１は、フェムト基地局１０から通知された上記回線品質情報を確認した（Ｗ１３５）後、フェムト基地局１０に対して、その応答を返信する（Ｗ１３６）。同様に、フェムト基地局２０、３０においても、各基地局配下の移動局Ｕ２、Ｕ３宛に、上記回線品質情報が通知される（Ｗ１３７、Ｗ１３８）。該通知を受けた移動局Ｕ２、Ｕ３は、接続する基地局から配信された上記回線品質情報を確認した（Ｗ１３９、Ｗ１４０）後、各フェムト基地局２０、３０に対して、その応答を返信する（Ｗ１４１、Ｗ１４２）。
【００８１】
上述した一連の動作により、移動局Ｕ１は、最良品質の基地局へのハンドオーバを完了すると共に、他の基地局や移動局は、移動局Ｕ１を収容するフェムト基地局の接続する有線回線の品質を、リアルタイムに把握することができる。したがって、基地局は、より通信品質の良い基地局に移動局をハンドオーバさせることができ、移動局は、より通信品質の良い基地局と通信を行うことができる。その結果、無線通信システム１は、有線回線の輻輳による通信品質の低下を抑制することが可能となる。
【００８２】
以上説明したように、無線通信システム１は、ＳｅＧＷ５０と、フェムト基地局１０と、マクロ基地局４０とを有する。ＳｅＧＷ５０は、上位局と接続する。フェムト基地局１０は、有線ブロードバンド回線Ｎ１を介してＳｅＧＷ５０と接続する。マクロ基地局４０は、専用回線Ｎ３を介してＳｅＧＷ５０と接続する。フェムト基地局１０は、移動局Ｕ４がマクロ基地局４０からフェムト基地局１０へハンドオーバする際、第１の時刻情報と第２の時刻情報とを用いて、有線ブロードバンド回線Ｎ１の品質を測定する。第１の時刻情報は、マクロ基地局４０からフェムト基地局１０へ転送されるデータが送信される時刻を示す。また、第２の時刻情報は、当該データが受信される時刻を示す。
【００８３】
より具体的には、下り方向の回線品質の測定に関し、フェムト基地局１０は、移動局Ｕ４がマクロ基地局４０からフェムト基地局１０へハンドオーバする際、第１の時刻情報と第２の時刻情報とを用いて、有線ブロードバンド回線Ｎ１の品質を測定する。第１の時刻情報は、マクロ基地局４０からフェムト基地局１０へ転送されるデータをＳｅＧＷ５０が送信する時刻を示す情報である。第２の時刻情報は、フェムト基地局１０が上記データを受信する時刻を示す情報である。
【００８４】
また、上り方向の回線品質の測定に関し、ＳｅＧＷ５０は、移動局Ｕ１がフェムト基地局１０からマクロ基地局４０へハンドオーバする際、第１の時刻情報と第２の時刻情報とを用いて、有線ブロードバンド回線Ｎ１の品質を測定する。第１の時刻情報は、フェムト基地局１０からマクロ基地局４０へ転送されるデータをフェムト基地局１０が送信する時刻を示す情報である。第２の時刻情報は、ＳｅＧＷ５０が上記データを受信する時刻を示す情報である。
【００８５】
また、本実施例に係る無線通信システム１は、以下のような効果を奏する。第１に、通信品質を、オペレータネットワークのＳＧＷやＥＰＣのセッション状況により判定する方法では、回線切断をトリガとして通信品質を検知するため、切断に至らないまでの通信品質の劣化（揺らぎ）を検知できない。また、上記方法では、回線切断後のフェムトセル圏内にいる移動局を制御することができない。更に、上記方法では、回線切断を通信品質劣化のトリガとするため、障害の原因となる区間を特定し切り分けることができない。これに対して、本実施例に係る無線通信システム１では、通信品質の測定方法として、送信側装置（ＳＧＷまたはフェムト基地局）が、Ｘ２ハンドオーバ時の転送パケットにタイムスタンプを付与し、受信側装置（フェムト基地局またはＳＧＷ）が当該タイムスタンプと受信時刻とを比較する方法を採る。したがって、無線通信システム１は、Ｘ２ハンドオーバ時の転送パケットの通信品質から、揺らぎを含む、通信品質の劣化を検知することができる。また、通信品質の劣化が確認された後も、セッションは切断されずに維持されていることから、無線通信システム１は、回線切断後も、フェムトセル圏内の移動局をハンドオーバ制御することができる。更に、無線通信システム１では、フェムト基地局とＳＧＷとの間の通信品質が測定されるため、無線通信システム１は、必要に応じて、測定対象の有線ブロードバンド回線区間を障害要因として特定し、切り分けることができる。
【００８６】
第２に、一般的に普及している有線ブロードバンド回線の品質測定方法として、専用のサーバ装置をインターネット上に設置し、加入者端末が、そのサーバ装置とパケット通信を行うことで、通信品質を測定する方法がある。しかしながら、かかる方法では、測定に際して、多数の加入者端末により共用されている有線ブロードバンド回線に大きな負荷が掛かることとなり、通信品質の測定のために、通信品質が低下するといった不都合を招く可能性がある。これに対して、無線通信システム１は、Ｘ２ハンドオーバに際して、本来必要となる既存のデータ（転送パケット）を利用して通信品質を測定するため、ネットワークに対して、品質測定に伴う新たな負荷を与えることがない。その結果、有線ブロードバンド回線の品質低下が抑制される。
【００８７】
第３に、フェムトセルのＵＥ（User  Equipment）データトラヒック情報を用いて、通信品質を測定する方法がある。かかる方法では、フェムト基地局が、フェムトセル圏内で通信している移動局のデータトラヒック情報（例えば、平均スループット）を用いて、通信品質を測定する。しかしながら、移動局のデータトラヒック情報は、移動局における通信設定や通信内容に依存して逐次変化するため、常に正確な通信品質の測定ができるとは限らない。これに対して、無線通信システム１の測定する、有線ブロードバンド回線の通信品質は、専用回線越しに接続されたマクロ基地局とのデータ通信の品質である。また、専用回線の通信環境や通信条件は、移動局の通信設定や通信内容に依らず、一定である。したがって、上述した方法のように、移動局における通信設定や通信内容に依存して、データトラヒック情報が変化するようなことはなく、安定した通信品質の測定が可能となる。その結果、測定結果の信頼性が向上する。
【００８８】
なお、上記実施例に係る有線回線の品質測定は、フェムト基地局とマクロ基地局との間でのハンドオーバに際して、実行されることが好適である。すなわち、フェムト基地局間同士のハンドオーバに本実施例を適用すると、通信品質の低下が、移動局のハンドオーバしない他のフェムト基地局の接続する有線回線の品質低下に起因する可能性がある。しかしながら、フェムト基地局、マクロ基地局間のハンドオーバであれば、マクロ基地局には、常に通信品質の高い専用回線が接続されていることから、他の回線（測定対象以外の回線）が、通信品質の測定に与える影響を排除することができる。例えば、フェムト基地局３０からフェムト基地局１０へのハンドオーバに本実施例を適用した場合、上述した通信品質測定結果の良し悪しが、真に有線ブロードバンド回線Ｎ１の通信状態に起因するものであるか、有線ブロードバンド回線Ｎ２の通信状態にも起因するものであるかの判別が困難である。これに対し、専用回線Ｎ３に接続するマクロ基地局４０からフェムト基地局１０へのハンドオーバに本実施例を適用した場合には、上述したように、通信品質測定結果は、有線ブロードバンド回線Ｎ１の通信状態のみを反映したものであることが明白であることから、上記懸念は解消される。すなわち、無線通信システム１は、フェムト基地局（例えば、フェムト基地局１０）の隣接セルとしてマクロ基地局（例えば、マクロ基地局４０）が認識されている場合にのみ、有線回線の通信品質を測定することが望ましい。これにより、フェムト基地局間において有線回線の通信品質を測定した場合に懸念される測定精度の低下は回避される。したがって、無線通信システム１は、常に高い品質測定精度を維持することができる。その結果、移動局は、ハンドオーバ可能な基地局の中から、真に通信品質の高い基地局を選択し、その基地局との間で通信を行うことが可能となる。
【符号の説明】
【００８９】
１  無線通信システム
１０、２０、３０  フェムト基地局
１０ａ  インタフェース
１０ｂ  ＣＰＵ
１０ｃ  ＳＤＲＡＭ
１０ｄ  ＦＰＧＡ
１０ｅ  ＤＳＰ
１０ｆ  ＤＡＣ／ＡＤＣ
１０ｇ  周波数変換器
１０ｈ  ＲＦ回路
１０ｉ  アンテナ
１１  無線ＩＦ部
１２  制御信号処理部
１３  ユーザデータ処理部
１４  制御部
１５  品質測定情報処理部
１６  時刻同期処理部
１７  Ｘ２ＩＦ部
１８  Ｓ１ＩＦ部
４０  マクロ基地局
４１  無線ＩＦ部
４２  制御部
４３  Ｘ２ＩＦ部
４４  Ｓ１ＩＦ部
５０  ＳｅＧＷ
５１  品質測定情報処理部
５２  時刻同期処理部
５３  ＧＷ機能部
５０ａ  スイッチ
５０ｂ  ＣＰＵ
５０ｃ  ＳＤＲＡＭ
５０ｄ  ＨＤＤ
５０ｅ  ＮＷボード
Ｆ１〜Ｆ６  転送パケット
Ｎ１、Ｎ２  有線ブロードバンド回線
Ｎ３  専用回線
Ｐ１  ＩＰヘッダ
Ｔ１  通信品質測定テーブル
Ｔ２  回線品質情報
【図１】
2012164675.tif 000003
【図２】
2012164675.tif 000004
【図３】
2012164675.tif 000005
【図４】
2012164675.tif 000006
【図５】
2012164675.tif 000007
【図６】
2012164675.tif 000008
【図７】
2012164675.tif 000009
【図８】
2012164675.tif 000010
【図９】
2012164675.tif 000011
【図１０】
2012164675.tif 000012
【図１１】
2012164675.tif 000013
【図１２】
2012164675.tif 000014
【図１３】
2012164675.tif 000015
【図１４】
2012164675.tif 000016
【図１５】
2012164675.tif 000017
【図１６】
2012164675.tif 000018
【図１７】
2012164675.tif 000019
【図１８】
2012164675.tif 000020
【図１９】
2012164675.tif 000021
【国際調査報告】
2012164675.tif 000022
2012164675.tif 000023